(57)【要約】【課題】時間やジャンル等の一定の規則に従った特定の番組に対して、当該番組の内容や詳細情報を一括して表示することができる番組情報表示制御装置及びその方法、遠隔操作装置、プログラム及び記憶媒体を提供する。【解決手段】電子番組表に表示されるそれぞれの番組に関する詳細な番組情報をアンテナ部１１０１、チューナ部１１０２から取得する。取得された番組情報はデコーダ部１１０３を介してメモリ部１１５０に記憶される。ここで、リモコン装置１２から、詳細な表示をさせる番組が指定され、指定された複数の番組に関する詳細な番組情報をメモリ部１１５０から検索する。次に、表示部１１２２に表示された電子番組表上であって、指定されたそれぞれの番組の表示位置に、画像制御部１１２１は当該複数の番組のそれぞれに関する番組情報を一括して表示させる。【選択図】  図２
2004194250.tif 000002
【特許請求の範囲】
【請求項１】
電子番組表を表示する表示手段を制御する番組情報表示制御装置であって、
該電子番組表に表示されるそれぞれの番組に関する番組情報を取得する情報取得手段と、
取得された前記番組情報を前記表示手段に表示させる表示制御手段と、
所定の条件に従って番組を検索する検索手段とを備え、
前記表示制御手段は、前記番組に関する番組情報を前記電子番組表の形態で表示させる第１のモードと、前記検索手段により検索された番組に関する番組情報を前記第１のモードにおいて表示された番組情報量より増加させて表示させる第２のモードとを有することを特徴とする番組情報表示制御装置。
【請求項２】
前記表示制御手段は、前記第２のモードにおいて、前記電子番組表上の前記検索された番組の番組情報表示位置に前記番組情報を表示することを特徴とする請求項１記載の番組情報表示制御装置。
【請求項３】
前記検索手段により複数の番組が検索された場合、前記表示制御手段は前記検索された複数の番組に関する番組情報を一括して表示することを特徴とする請求項１記載の番組情報表示制御装置。
【請求項４】
前記電子番組表に表示された各番組の番組情報を指定する指定手段と、
前記第１のモードにおいて前記各番組の番組情報を指定可能とし、前記第２のモードにおいて前記検索された番組の番組情報のみを指定可能とするように前記指定手段を制御する指定制御手段と
をさらに備えることを特徴とする請求項１記載の番組情報表示制御装置。
【請求項５】
前記番組情報が、無線又は有線で放送される番組の番組情報であることを特徴とする請求項１から４までのいずれか１項に記載の番組情報表示制御装置。
【請求項６】
前記表示制御手段が、前記第２のモードにおいて、前記表示手段で表示されている前記電子番組表のチャネル情報と時間帯情報とに基づく表示範囲内で、前記検索された番組の番組情報を表示させることを特徴とする請求項１記載の番組情報表示制御装置。
【請求項７】
前記検索手段により検索された番組が、前記第１のモード時に文字情報が表示されない番組であることを特徴とする請求項１記載の番組情報表示制御装置。
【請求項８】
前記所定の条件は、放送時間５分間以内の短時間番組、指定されたジャンルの番組、指定された時間帯に放送される番組、番組情報内に指定されたキーワードを含む番組のうち少なくとも何れか一つを含むことを特徴とする請求項１記載の番組情報表示制御装置。
【請求項９】
前記表示制御手段は、前記第２のモードにおいて増加させる番組情報を、前記第１のモードにおける電子番組表上の対応位置にポップアップ表示させることを特徴とする請求項１記載の番組情報表示制御装置。
【請求項１０】
電子番組表を表示する表示装置を遠隔操作する装置であって、前記表示装置により表示された電子番組表に含まれる番組のうち所定の条件に従った複数の番組について、詳細な番組情報を一括表示させることを指定する第１の指定手段を備えることを特徴とする遠隔操作装置。
【請求項１１】
前記所定の条件を指定する第２の指定手段を備え、
前記第１の指定手段は、前記第２の指定手段により指定された前記所定の条件に合致した番組の詳細な番組情報を一括表示させることを特徴とする請求項１０記載の遠隔操作装置。
【請求項１２】
電子番組表を表示する表示手段を制御する番組情報表示制御方法であって、
該電子番組表に表示されるそれぞれの番組に関する番組情報を取得する情報取得工程と、
取得された前記番組情報を前記表示手段に表示させる表示制御工程と、
所定の条件に従って番組を検索する検索工程とを有し、
前記表示制御工程は、前記番組に関する番組情報を前記電子番組表の形態で表示させる第１のモードと、前記検索手段により検索された番組に関する番組情報を前記第１のモードにおいて表示された番組情報量より増加させて表示させる第２のモードとを有することを特徴とする番組情報表示制御方法。
【請求項１３】
前記表示制御工程は、前記第２のモードにおいて、前記電子番組表上の前記検索された番組の番組情報表示位置に前記番組情報を表示することを特徴とする請求項１２記載の番組情報表示制御方法。
【請求項１４】
前記検索ステップにより複数の番組が検索された場合、前記表示制御工程は、前記検索された複数の番組に関する番組情報を一括して表示することを特徴とする請求項１２記載の番組情報制御方法。
【請求項１５】
前記電子番組表に表示された各番組の番組情報を指定する指定工程と、
前記第１のモードにおいて前記各番組の番組情報を指定可能とし、前記第２のモードにおいて前記検索された番組の番組情報のみを指定可能とするように前記指定手段を制御する指定制御工程と
をさらに有することを特徴とする請求項１２記載の番組情報表示制御方法。
【請求項１６】
前記所定の条件は、放送時間５分間以内の短時間番組、指定されたジャンルの番組、指定された時間帯に放送される番組、番組情報内に指定されたキーワードを含む番組のうち少なくとも何れか一つを含むことを特徴とする請求項１２記載の番組情報表示制御方法。
【請求項１７】
請求項１２乃至１６の何れか１項に記載の番組情報表示制御方法の処理工程をコンピュータに実行させるためのプログラムを記録したコンピュータ読み取り可能な記憶媒体。
【請求項１８】
請求項１２乃至１６の何れか１項に記載の番組情報表示制御方法の処理工程をコンピュータに実行させるためのプログラム。
【発明の詳細な説明】
【０００１】
【発明の属する技術分野】
本発明は、電子番組表（Electronic Program Guide、以下「ＥＰＧ」と称す。）を表示する技術に関する。
【０００２】
【従来の技術】
近年、デジタル放送の開始、インターネットの普及、テレビとコンピュータの融合等に伴い、テレビ視聴者が、ＥＰＧをテレビ画面等に表示し、番組の視聴、録画予約等をするといった機会が多くなってきている。
【０００３】
ここで、電子番組表（ＥＰＧ）とは、放送番組のタイトル、副題、ジャンル、出演者、解説といった番組に関するデータ（ＥＰＧデータ）を、図２０に示すように、いくつかのチャネルとある時間帯の番組内容をマトリクス上に、新聞等のテレビ覧と同様に表示するものである。図２０は、テレビ画面に表示された短時間番組を含む従来のＥＰＧの一例を示す図である。図２０に示すようなＥＰＧが視聴者にとってより便利なものであるためには、例えば、チャネルは全チャネルを、時間帯もできるだけ多く一度に表示することが望ましい。
【０００４】
一方で、テレビ画面の解像度、文字の読みやすさ等の点から、現時点では一度に表示可能なチャネル、時間帯は限られたものとなっている。従って、その制限内において、できるだけ多くの番組情報を表示しようとすると、数分程度の短時間番組については、表示スペースが十分にないという問題があった。そのため、従来は、図２０に示すように、短時間番組があるということを視聴者に認識せしめるために、特定の色で表示された色の帯（図２０では、便宜上斜線で示している。）を表示するだけになってしまうような表示方法がなされていた。
【０００５】
そして、視聴者は、そこで視聴できる番組の内容を知るためには、図２０に示すように、カーソルキーで短時間番組を表示している「色の帯」をフォーカスすることによって、当該部分の番組内容がポップアップ表示される、或いは、画面下の詳細情報エリアに表示されるといった方法によって確認していた。その他にもＥＰＧの表示の際に、ジャンルごとに色分けをして見やすくするような方法も知られている（例えば、特許文献１参照）。
【０００６】
【特許文献１】
特開平１１−１９６３４３号公報
【０００７】
【発明が解決しようとする課題】
しかしながら、表示されているＥＰＧにおける短時間番組の内容を確認するために、一つずつフォーカスを行ってポップアップ表示等するという操作をすることは大変手間がかかるものであり、いろいろな番組の内容を一括して見られるというＥＰＧの本来の機能を十分に生かし切れていないという問題があった。上記特許文献１の方法についても同様である。
【０００８】
また、短時間番組には最低でも１行分のスペースを取って表示するといった方法も考えられるが、この方法では、他の番組の表示スペースが減少してしまうという問題があった。さらに、内容が表示されている短時間番組以外の番組においても、当該番組の番組名程度しか表示することができず、詳細な内容の表示は、視聴者が見たい番組にカーソルキー等でフォーカスを移動させ、短時間番組と同様に詳細情報表示エリア等で確認するしかなかった。
【０００９】
このように、従来のＥＰＧ表示においては、カーソル等を移動してフォーカス操作をしなければ確認したい番組名、詳細な内容がわからず、複数の番組についての詳細な内容を一括して見ることもできず、ＥＰＧ本来の機能を十分に生かし切れていなかった。
【００１０】
本発明は、このような事情を考慮してなされたものであり、一度に表示される番組のチャネル数、時間帯等を従来のＥＰＧと同等にしたまま、時間やジャンル等の一定の規則に従った特定の番組に対して、当該番組の内容や詳細情報を一括して表示するための制御をすることができる番組情報表示制御装置及びその方法、遠隔操作装置、プログラム及び記憶媒体を提供することを目的とする。
【００１１】
【課題を解決するための手段】
上記課題を解決するため、本発明は、電子番組表を表示する表示手段を制御する番組情報表示制御装置であって、
該電子番組表に表示されるそれぞれの番組に関する番組情報を取得する情報取得手段と、
取得された前記番組情報を前記表示手段に表示させる表示制御手段と、
所定の条件に従って番組を検索する検索手段とを備え、
前記表示制御手段は、前記番組に関する番組情報を前記電子番組表の形態で表示させる第１のモードと、前記検索手段により検索された番組に関する番組情報を前記第１のモードにおいて表示された番組情報量より増加させて表示させる第２のモードとを有することを特徴とする。
【００１２】
【発明の実施の形態】
以下、図面を参照して、本発明の好適な実施形態について説明する。
【００１３】
＜第１の実施形態＞
図１は、本発明の第１の実施形態に係るＥＰＧ表示可能なテレビ装置を含むＥＰＧ表示システム全体を示す概要図である。図１に示すように、１１はデジタル放送受信可能なテレビ装置である。また、１２はテレビ装置１１を遠隔操作するためのリモコン装置であって、テレビの視聴者が、テレビ装置１１の制御、操作及びデータ入力等の各種操作を行うための装置である。また、テレビ装置１１は、ネットワーク１３や電話回線１４に接続されている。そして、テレビ装置１１は、デジタルテレビ放送の受信、リモコン装置１２との間の情報の送受信、ネットワーク１３等に接続された機器とのデータの送受信、機器の制御等を行い、これらを通して得られたテレビ画像データ、機器画像データ、ＥＰＧデータ及び制御情報等を画面表示する。
【００１４】
図２は、本発明の第１の実施形態に係るテレビ装置１１の細部構成を示すブロック図である。
【００１５】
図２に示すように、１１０１はアンテナ部であって、外部よりテレビ電波を受信して高周波電気信号に変換し、チューナ部１１０２へと導く。チューナ部１１０２は、アンテナ部１１０１より導かれた高周波テレビ信号を増幅し、希望局を選局し、搬送波により変調されている高周波テレビ信号を復調し、デコーダ部１１０３へ出力する。
【００１６】
さらに、デコーダ部１１０３は、チューナ部１１０２より得られた信号を、画像データや音声データと他のデータ（例えば、放送データ、ＥＰＧデータ等の付加データ）とを分離して、それぞれデコードを行う。そして、画像データは画像制御部１１２１に出力され、音声データは音声制御部１１２３に出力され、その他のデータは内部バス１１８０に出力される。
【００１７】
画像制御部１１２１は、デコーダ部１１０３より出力された画像データと、内部バス１１８０を通して得られる画像データとを切り替え、或いは合成した表示画像データ（ＲＧＢ画像データ）と、水平・垂直同期信号とを表示部１１２２へ出力する。そして、表示部１１２２は、画像制御部１１２１より出力されたＲＧＢ画像データと水平・垂直同期信号とを入力し、テレビ画面上に表示する。
【００１８】
さらにまた、１１２３は音声制御部であって、デコーダ部１１０３より出力された音声データと、内部バス１１８０を通して得られる音声データとを切り替え、或いは合成し、又は、音量、音質、臨場感等を制御して、音声出力部１１２４へ出力する。そして、音声出力部１１２４は、音声制御部１１２３より入力された音声信号を増幅し、スピーカにより音声を出力する。
【００１９】
さらにまた、１１３０は外部Ｉ／Ｆ部であって、外部の各種ＡＶ装置やパーソナルコンピュータ等との間でネットワーク１３等を介してデータの送受信を行う。また、１１４０はリモコン制御部であって、テレビ視聴者がリモコン装置１２を操作した際に送信される各種データを受信し、当該受信データを制御部１１９０へ転送する。
【００２０】
さらにまた、１１５０はメモリ部であって、デコーダ部１１０３より出力されるＥＰＧデータ、各種テレビ放送の付加データ、外部Ｉ／Ｆ部１１３０を通して入力される各種データ等を、内部バス１１８０を通して入力し、格納しておく。
【００２１】
さらにまた、１１６０はデータＲＯＭ部であって、表示、印刷等で使用される文字（フォント）データ、ＥＰＧを表示する際に使用するアイコン、ボタンといった画像データ等の、あらかじめテレビ装置１１に内蔵されているデータが格納されているＲＯＭである。
【００２２】
さらにまた、１１７０はモデム部であって、テレビ装置１１が電話回線１４を通して外部とデータのやり取りをするために使用される。例えば、有料放送の視聴の課金のための管理サーバへ視聴情報の送信、双方向放送視聴時の放送局へのデータ送受信、インターネット接続のためプロバイダへの接続等の場合に使用される。
【００２３】
さらにまた、制御部１１９０は、内部バス１１８０に接続されており、テレビ装置１１内の上述した各部を統括的に制御する。例えば、テレビ放送の受信においては、前述したアンテナ部１１０１、チューナ部１１０２、デコーダ部１１０３の制御を行い、チャネルの切り替え、データ放送データ、電子番組ガイドデータの保存等の設定、制御を行う。また、画像制御部１１２１を制御して、デコーダ部１１０３よりの画像データと、データ放送データ、ＥＰＧデータ、外部Ｉ／Ｆ部１１３０よりの画像データとの切り替え、合成等の表示設定、制御を行う。
【００２４】
さらに、制御部１１９０は、音声制御部１１２３を制御し、各部より入力された音声データの合成、出力制御を行う。また、制御部１１９０は、リモコン制御部１１４０で受信されたリモコン装置１２からのキーコードデータを解析し、それに応じた処理を行う。また、制御部１１９０は、年月日、曜日、時刻等を計測できる時計機能を有しており、曜日、時刻等を管理し、表示させることができる。
【００２５】
さらにまた、内部バス１１８０は、テレビ装置１１内の各部を図２に示すように接続する内部のバスであって、前述したように、画像データや、音声データ等の転送、各部間の情報の転送等に使用される。
【００２６】
すなわち、本実施形態に係るテレビ装置１１（番組情報表示制御装置）は、電子番組表を表示する表示部１１２２を備える。そして、電子番組表に表示されるそれぞれの番組に関する詳細な番組情報をアンテナ部１１０１、チューナ部１１０２から取得する。取得された番組情報はデコーダ部１１０３を介してメモリ部１１５０に記憶される。そして、リモコン装置１２からの詳細な表示をする番組の指定がリモコン制御部１１４０を介してなされ、制御部１１９０を介して、指定された番組に関する詳細な番組情報をメモリ部１１５０から検索する。さらに、表示部１１２２により表示された電子番組表上であって、指定されたそれぞれの番組の表示位置に、検索されたそれぞれの番組に関する詳細な番組情報を画像制御部１１２１が表示させる。ここで、複数の番組が指定され、当該複数の番組のそれぞれに関する番組情報が検索された場合、画像制御部１１２１は検索された複数の番組情報を一括して電子番組表上に表示させる。
【００２７】
また、本実施形態に係るテレビ装置１１（番組情報表示制御装置）におけるリモコン装置１２からの詳細な表示をする番組が、まず、詳細な表示をする番組の条件を取得し、取得された条件に基づいて詳細な表示をする番組を電子番組表から検索することによって指定される。
【００２８】
さらに、本実施形態に係るテレビ装置１１（番組情報表示制御装置）は、電子番組表に一括して表示された複数の詳細な番組情報のうち、現在選択されている詳細な番組情報の表示位置から次に選択する方向を指定し、指定された方向であって電子番組表上において現在選択されている詳細な番組情報の表示位置の最も近くに位置する詳細な番組情報のみを選択することによってユーザが所望する番組の詳細な番組情報を表示させる。尚、本実施形態に係るテレビ装置１１（番組情報表示制御装置）の詳細な動作手順等については後述する。
【００２９】
図３は、本発明の第１の実施形態に係るリモコン装置１２の詳細な構成を示すブロック図である。
【００３０】
図３に示すように、１２０１はキーボタン部であり、リモコン装置１２の使用者が、キーボタン部１２０１内のボタンを押下して、テレビ装置１１に対して所望の動作を行わせるためのものであり、リモコン制御部１２１０によって制御される。また、１２０２はキーコード記憶部であって、あらかじめ、テレビ操作、設定用のキーコード等が格納されているＲＯＭ等の記憶部である。
【００３１】
さらに、１２０５はデータ送受信部であって、押下されたキーコード等の各種データをテレビ装置１１内のリモコン制御部１１４０へ送信する。
【００３２】
さらにまた、１２０７は電池部であり、本リモコン装置１２が動作するための電源を供給する。さらにまた、１２０８は時計部であり、年月日、曜日、時刻等を計測する。さらにまた、リモコン制御部１２１０は、キーボタン部１２０１の操作、押下されたキーの検出、押下されたキーに対応するキーコードにより上述の各部を制御する。
【００３３】
すなわち、本実施形態に係るリモコン装置１２（遠隔操作装置）は、電子番組表を表示する表示装置（テレビ装置１１）に対し、複数の番組についての詳細な表示させる番組を指定するための装置である。そこで、まず、テレビ装置１１の画面上に表示された電子番組表から一括して詳細表示させる番組の条件を指定する。次いで、指定された条件に合致し一括表示された番組の中から詳細な表示をさせる番組を指定する。
【００３４】
また、本実施形態に係るリモコン装置１２（遠隔操作装置）は、表示装置（テレビ装置１１）の画面に一括して表示された複数の詳細な番組情報のうち、現在選択されている詳細な番組情報の表示位置から次に選択する方向を指定し、指定された方向上の最も近い位置に表示されている番組を詳細な表示をさせる番組として指定する。尚、本実施形態に係るリモコン装置１１（遠隔操作装置）の詳細な動作手順等については後述する。
【００３５】
図４は、本発明の第１の実施形態に係るリモコン装置１２の外形図である。図４において、１２０１＿ｅｐｇ は、ＥＰＧ表示キーであって、当該キーを押下すると、図６に示すようなＥＰＧがテレビ装置１１の画面に表示される。また、１２０１＿ｓｅｌ は、左右、上下カーソルキーと決定キーから成る操作キーであって、メニュー操作、ＥＰＧ操作の際に使用される。
【００３６】
さらに、１２０１＿ｃｌｒ は、いわゆるカラーキーであって、本リモコンでは、赤、黄、青、緑の４色のボタンが用意されており、メニュー操作やＥＰＧ画面操作の際に、ある特定の機能を割り付けるために使用される。例えば、本実施形態では、ＥＰＧ画面操作において、赤色キーがＥＰＧの前日表示、黄色キーがＥＰＧの翌日表示、緑色キーが後述する５分詳細キーとして割り当てられている。尚、これらのキーの割り当ては上述したものだけに限られるものではない。
【００３７】
また、図４に示すように、リモコン装置１２には、その他のキーとして、装置本体の電源のオン／オフを行うための電源キーやＢＳ放送、ＣＳ放送、ＶＴＲ等の外部機器等の入力を選択するためのキーが備わっている。さらに、リモコン装置１２には、操作メニュー画面を表示させるためのメニューキー、音量の大小を設定するための音量ＵＰキー、音量ＤＯＷＮキー、テレビのチャンネル設定等に使用される数字キー、テレビチャンネルのＵＰ／ＤＯＷＮに使用されるチャネルＵＰキー、チャネルＤＯＷＮキー、外部装置の操作キー等が備わっている。
【００３８】
図５は、本実施形態において受信されるデジタル放送波とＥＰＧデータの構成例を示す図である。図５に示すように、デジタル化された放送信号は、ＩＥＣ、ＩＥＥＥ、ＡＲＩＢ（電波産業会）等の各種規格や規格団体等の規格により規定されており、いわゆるＴＳ信号と呼ばれ、動画信号であるＶｉｄｅｏ部５１、音声信号であるａｕｄｉｏ部５２、それ以外のデータ信号であるｄａｔａ部５３より成る。
【００３９】
そして、ｄａｔａ部５３を収集して再構成すると、図５に示すように、この中には、ＰＡＴ、ＰＭＴ、ＮＩＴ、ＥＩＴ、ＴＯＴ等の放送番組固有の情報に関連する各種のテーブル、すなわち番組情報テーブルが存在する。本実施形態で使用するＥＰＧデータは、この中のＥＩＴ（イベント情報テーブル）の中で、いくつかの項目と記述子として記述される。イベント情報テーブルの最初の部分は、テーブルＩＤ、サービスＩＤ、イベントＩＤ等に加えて、番組の放送開始時刻、放送継続時間等が記述されている。そして、これらの後には、いくつかの記述子が存在する。ここでは、このうち本発明に関連するＥＰＧと関係あるものついて説明する。
【００４０】
短形式イベント記述子は、番組の番組名（８０ｂｙｔｅ以内）、副題（１６０ｂｙｔｅ以内）が記述されている。拡張形式イベント記述子は、出演者、脚本者、司会者、といった人物名、番組の解説等が記述されている。コンポーネント記述子は、放送番組のジャンルを表す記述子である。ここで、放送番組のジャンルとは、「報道」、「スポーツ」、「ドラマ」、「映画」、「バラエティ」、「教養」等といった大ジャンルと、これらの各大ジャンルに対して詳細な中ジャンル（例えば、「スポーツ０」の中ジャンルとして、「サッカー」、「野球」、「オリンピック」）で規定されている。
【００４１】
また、パレンタルレート記述子は、視聴制限年齢を記述する。デジタルコピー制御記述子は、デジタル、アナログコピーに関する制約情報を記述する。データコンテンツ記述子は、番組関連のデータ放送に関する情報を記述する。ＣＡ契約情報記述子は、課金対象番組に対する視聴、録画予約の可不可等の情報を記述する。イベントグループ記述子は、イベント共有やグループ化情報、イベントリレーのリンク情報を記述する。コンポーネント記述子は、マルチビューテレビ等でイベント内のコンポーネントの組み合わせ情報を記述する。シリーズ記述子は、シリーズ番組や再放送等の情報を記述する。
【００４２】
上述したように、本実施形態に係るテレビ装置１１では、アンテナ１１０１とチューナ部１１０２とで放送波を受信し、デコーダ部１１０３でデータ部のみを抜き取られ内部バス１１８０に出力される。そして、制御部１１９０は、内部バス１１９０に出力されたデータより、ＥＩＴを再構成し、上述したような形式のデータをＥＰＧデータとして、メモリ部１１５０に格納する。そして、テレビ視聴者によるリモコン装置１２等からの要求に応じて、メモリ部１１５０内からＥＰＧデータを読み出し、データＲＯＭ部１１６０内に格納されているＥＰＧ表示用画像データと共にＥＰＧ画像を生成し、画像制御部１１２１を通して表示部１１２２に表示する。
【００４３】
次に、上述した構成の本実施形態に係るテレビ装置１１及びリモコン装置１２についての動作手順について説明する。図９は、本発明の第１の実施形態に係るテレビ装置１１におけるＥＰＧの表示を実行する手順を説明するためのフローチャートである。
【００４４】
尚、処理に先立って、テレビ装置１１では、前述したように、電源がＯＮの際に放送波を受信して、そこからＥＰＧデータを抜き出し、メモリ部１１５０に当該ＥＰＧデータを格納しておく。
【００４５】
テレビ視聴者は、テレビ放送を視聴している状態でＥＰＧを閲覧する場合、当該テレビ装置１１に向かって、リモコン装置１２のＥＰＧ表示キー１２０１＿ｅｐｇを押下する。これにより、リモコン装置１２のデータ送受信部１２０５よりＥＰＧ信号が送信され、テレビ装置１１のリモコン制御部１１４０はこれを受信する。
【００４６】
そして、テレビ装置１１では、リモコン装置１２のＥＰＧ表示キー１２０１＿ｅｐｇが押下され、リモコン制御部１１４０においてＥＰＧ信号受信が検知されたか否かを判断する（Ｓ２１０２）。この判断は制御部１１９０で行われる。その結果、当該キーの押下が検知された場合、制御部１１９０は、例えば、制御部１１９０内の現在日時に対応する４チャネル、４時間分のＥＰＧデータをメモリ部１１５０より読み出し、データＲＯＭ１１６０内のＥＰＧ表示用画像データと共に、ＥＰＧ画像データを生成する。この際、このＥＰＧデータ内にある５分間以内の番組を検出し、検出された番組を「色の帯」で表示するように、ＥＰＧ画像データを生成する（Ｓ２１０３）。
【００４７】
次に、ＥＰＧ内で使用されるリモコンキーの割り当て設定とその説明パネル画像の生成を行う。本ＥＰＧ画面操作においては、操作キー１２０１＿ｓｅｌ内の決定キー及びカラーキー１２０１＿ｃｌｒ が使用され、当該キーの割り当て設定が行われる（ステップＳ２１０４）。ここで、カーソルキーは、ＥＰＧ画面に表示された番組のフォーカスの移動を行い、決定キーによって、当該番組に対する視聴予約、録画予約等のその後の操作へ移行するためのものである。一方、カラーキーは、赤色キー、黄色キーをそれぞれＥＰＧ操作の前日、翌日表示に、緑色キーを５分詳細キーに割り当てるものとする。尚、上記割り当ては一例であって、上記割り当てだけに限定されるものではない。すなわち、本実施形態に係るテレビ装置１１（番組情報表示制御装置）では、詳細な表示をする番組が、放送時間５分間以内の短時間番組であることを特徴とする。
【００４８】
その結果、テレビ装置１１の表示部１１２２には図６に示すようなＥＰＧ画面が表示される（ステップＳ２１０５）。図６は、本発明の第１の実施形態におけるＥＰＧ画面の表示例を示す図である。尚、図６に示されるＥＰＧ画像は、一例として、４チャネル分、４時間分の時間帯による表示になっている。また、５分間以下の短時間番組（以下、「５分間番組」と称す。）は、「色の帯」だけを表示している。
【００４９】
図６において、画面下部の枠内の表示は、ＥＰＧがフォーカスされている番組の詳細表示を行う詳細ウィンドウであり、左上部には、今まで視聴していたチャネルの画面、その下部には、前述したＥＰＧ画面の操作時に使用するリモコン装置１２の各操作キーの説明が表示されている。
【００５０】
ここで、テレビの視聴者が、５分間番組の内容を知りたい場合は、リモコン装置１２上の緑色キー、すなわち５分詳細キーを押下する。そして、テレビ装置１１では、リモコン制御部１１４０で当該キーの押下がされたか否かがリモコン制御部１１４０を介して制御部１１９０で検知される（ステップＳ２１１１）。その結果、検知されたと判断された場合は、テレビ装置１１では、表示されているＥＰＧデータのうち５分間番組のＥＰＧデータより、番組名部分を現在表示されているＥＰＧ画面の時間とチャネルの対応した色の帯付近に、重ねて表示するような５分番組一括表示画像を生成する（ステップＳ２１１２）。そして、画像制御部１１２１を通して、ＥＰＧ画面上に合成表示する（ステップＳ２１１３）。
【００５１】
その結果、図７に示すように、図６では色の帯であった５分間番組名が一括表示された合成ＥＰＧ画面が表示される。図７は、本実施形態に係るテレビ装置１１に表示される５分間番組名を一括表示したときの合成ＥＰＧ画面の一例を示す図である。すなわち、本実施形態に係るテレビ装置１１（番組情報表示制御装置）では、画像制御部１１２１が、表示部１１２２に表示されている電子番組表のチャネル情報と時間帯情報とに基づく表示範囲内で、詳細な番組情報を表示させることを特徴とする。また、当該詳細な番組情報が、通常の電子番組表上にポップアップ表示されることを特徴とする。
【００５２】
次に、視聴者はこの状態の画面において、リモコン装置１２の操作キー１２０１＿ｓｅｌ内の何れかのカーソルキーを押下する。図８は、５分間番組名が一括表示された合成ＥＰＧ画面上におけるカーソルキー操作によるフォーカスの推移の一例を示す図である。すなわち、テレビ装置１１側で上述したようにこのカーソルキー押下の有無を検知し（ステップＳ２１１４）、カーソルキーが押下された場合（ＹＥＳ）、図８の符号８１で示すように現在のフォーカスが５分間以内番組でない場合は、押下されたカーソルキーの方向で、例えば符号８２に示すように右カーソルが押下されたならば右方の一番近くにある５分間番組にフォーカスが移動する。
【００５３】
このように、カーソルキーの押下された方向によって、現在フォーカスされている番組から、カーソルキーが押下された方向の一番近い５分間番組にフォーカスが移動する（ステップＳ２１１６）。例えば、符号８３に示すように、下カーソルが押下された場合は下方の一番近い５分間番組に、符号８４に示すように、左カーソルが押下された場合は左方の一番近い５分間番組に、符号８５に示すように、さらに左カーソルが押下された場合はさらに左方の一番近い５分間番組にカーソルが移動する（すなわち、フォーカスが遷移する）。
【００５４】
このようにすることで、目標となる５分間以下の番組だけに対してフォーカスを移動させることができ、テレビ画面下部の詳細表示ウィンドウにおいてそれらのより詳細な内容を表示できる。すなわち、本実施形態に係るテレビ装置１１（番組情報表示制御装置）では、詳細な表示をする番組が、通常の電子番組表の表示時に文字情報が表示されない番組（例えば、放送時間が５分間以内の短時間番組等）であることを特徴とする。
【００５５】
尚、ステップＳ２１１４でカーソルキーが押下されていない場合（ＮＯ）は、その他の処理を行う（ステップＳ２１９３）。また、ステップＳ２１１４でカーソルキーが押下されたとき、フォーカスの移動前に移動先の番組がＥＰＧの表示範囲内か否かを判定するようにし（ステップＳ２１１５）、表示範囲内であれば（ＹＥＳ）、上記ステップＳ２１１６のフォーカス移動を行うようにする。一方、表示範囲外であると判定された場合（ＮＯ）は、その他の処理を行うようにする（ステップＳ２１９３）。
【００５６】
また、ステップＳ２１１６でフォーカス移動の後、次に、視聴者により決定キーが押下されたか否かが検知される（ステップＳ２１１７）。その結果、決定キーが押下された場合（ＹＥＳ）、当該番組を表示する等の次の処理が行われる（ステップＳ２１１８）。一方、決定キーが押下されていない場合（ＮＯ）、その他の処理が行われる（ステップＳ２１９３）。
【００５７】
尚、これらの処理の後、視聴者が、通常のＥＰＧ表示に戻したい場合は、緑色キー（５分詳細キー）を押下すると図６のＥＰＧ画面（すなわち、５分間番組が色の帯で表示されている。）に戻る。
【００５８】
また、上述のステップＳ２１１１で緑色キーが押下されていない場合（ＮＯ）、カーソルキーが押下されたか否かが判断される（ステップＳ２１２１）。その結果、カーソルキーが押下された場合（ＹＥＳ）、現在表示されているＥＰＧ画面の表示範囲内か否かが判断され（ステップＳ２１２２）、表示範囲内であれば５分間番組だけでなく全ての番組に対して上述したような方法でフォーカスが移動する（ステップＳ２１２３）。そして、ステップＳ２１１７に進む。
【００５９】
尚、ステップＳ２１２１でカーソルキーが押下されていない場合及びステップＳ２１２２で表示範囲外の場合は、その他の処理が行われる（スＴペプＳ２１９２）。尚、上述した実施形態では、番組情報が、無線で放送される番組の番組情報として説明したが、有線で放送される番組の番組情報であってもよい。
【００６０】
＜第２の実施形態＞
次に、第２の実施形態として、リモコン装置としてタッチパネル付き表示装置を用い、ここに操作ボタンを表示して、ジャンル、時間で内容表示を行う実施形態を説明する。
【００６１】
尚、全体の構成図は、第１の実施形態で説明した図１と同じである。図１０は、本発明の第２の実施形態に係るテレビ装置１１１の細部構成を示すブロック図である。テレビ装置１１１と第１の実施形態のテレビ装置１１との異なる部分として、まず、データＲＯＭ部１１６０１に後述する第２の実施形態のリモコン装置１２１で表示される番組名一括表示選択操作パネルの表示データが格納されている点と、リモコン制御部１１４０１が、受信機能だけでなくリモコン装置１２１に対してデータを送信することができる送受信機能を具備している点の２点がある。
【００６２】
また、制御部１１９０１は、リモコン制御部１１４０１で受信されたキーコードデータや、後述するリモコン装置１２１のタッチパネル１００６における位置情報データを解析し、それらに応じた処理を行う。
【００６３】
さらに、テレビ装置１１１のリモコン制御部１１４０１よりリモコン装置１２１の表示部１００６へ、番組詳細一括表示操作パネルの表示データを送信する。さらにまた、テレビ装置１１１内部の状況の変化、放送受信データ、外部Ｉ／Ｆ部１１３０、モデム部１１７０よりの情報等に応じて、各種の制御データ、表示データの送信を行う。
【００６４】
図１１は、本発明の第２の実施形態に係るリモコン装置１２１の構成を示すブロック図である。また、図１２は、本実施形態におけるリモコン装置１２１の外形図である。本実施形態のリモコン装置１２１は、第１の実施形態におけるリモコン装置１２と比べて、タッチパネル付き表示部１２０６１追加されたものとなっている。このタッチパネル付き表示部１２０６１は、一般的な液晶パネルに透明なタッチパネルを貼りつけた構造になっている。
【００６５】
図１３は、本発明の第２の実施形態に係るリモコン装置１２１のタッチパネルの細部構造を示す断面図である。図１３に示すように、本構造は、大きく上下２つに分かれており、下半分は液晶表示部であり、その上に指等で接触された際にその位置を検出するために感圧シートを挟み込んだＸ、Ｙ方向に配置された透明電極から成っている。尚、本実施形態では、当該タッチパネル付き表示部１２０６１は、テレビ装置１１１の各種設定、操作のための各種メニュー、操作パネル、時計表示等に使用される。また、テレビ装置１１１より送信される操作パネル、アイコン画像、メッセージといった情報等を表示する。
【００６６】
このような構造をしたタッチパネルの表面（図１３に示すように保護シート上から）に指等による接触があった場合、リモコン制御部１２１０のキーボード走査時に、Ｘ、Ｙ電極を通して検出されるようになっている。また、データ送受信部１２０５１は、押下されたキーコード等の各種データをテレビ装置１１１内のリモコン制御部１１４０へ送信するとともに、テレビ装置１１１より操作パネルデータ等のデータを受信することができる。これら以外の部分は、第１の実施形態のリモコン装置１２の各部と同様である。
【００６７】
図１４は、本実施形態に係るリモコン装置１２１のタッチパネル付き表示部１２０６１にＥＰＧ詳細一括表示選択操作パネルが表示されたときの図である。本詳細一括表示選択操作パネルは、テレビ装置１１１内のデータＲＯＭ部１１６０１に格納されている。図１５は、ＥＰＧ詳細一括表示選択操作パネルから「ドラマ」ボタンが押下された際のテレビ装置１１１におけるＥＰＧ表示画面の一例を示す図である。
【００６８】
すなわち、本実施形態に係るテレビ装置１１（番組情報表示制御装置）では、以下に示すように、詳細な表示をする番組が、ジャンルの別により分類された番組であってもよい。また、詳細な表示をする番組が、放送される時間帯の別により分類された番組であってもよい。
【００６９】
次に、本発明の第２の実施形態に係るテレビ装置１１１及びリモコン装置１２１の詳細な動作手順を説明する。図１７は、本発明の第２の実施形態に係るテレビ装置１１１の詳細な動作を説明するためのフローチャートである。また、図１６は、「ドラマ」が一括表示された合成ＥＰＧ画面上におけるカーソルキー操作によるフォーカスの推移の一例を示す図である。
【００７０】
テレビ装置１１１では、前述したように、電源がＯＮの際に放送波を受信して、そこからＥＰＧデータを抜き出し、メモリ部１１５０に当該ＥＰＧデータを格納しておく。
【００７１】
そして、テレビ視聴者は、テレビを視聴している状態でＥＰＧを閲覧する場合、テレビ装置１１１に向かってリモコン装置１２１のＥＰＧ表示キー１２０１＿ｅｐｇを押下する。これにより、リモコン装置１２１のデータ送受信部１２０５１よりＥＰＧ表示信号が送信される。
【００７２】
テレビ装置１１１では、まず、リモコン制御部１１４０１がリモコン装置１２１からＥＰＧキーの押下を検知したか否かを判断する（ステップＳ５１０２）。これを検知した制御部１１９０は、制御部１１９０内の現在日時に対応する４チャネル、４時間分のＥＰＧデータをメモリ部１１５０１より読み出し、データＲＯＭ部１１６０１内のＥＰＧ表示用画像データと共に、ＥＰＧ画像データを生成する（ステップＳ５１０３）。そして、画像制御部１１２１を通して表示部１１２２、すなわちテレビ画面に表示する（ステップＳ５１０４）。尚、この際、このＥＰＧデータ内にある５分間以内の番組を検出し、当該番組は第１の実施形態と同様に「色の帯」で表示するように、ＥＰＧ画像データを生成する。
【００７３】
また、ＥＰＧ内で使用されるリモコンキーの割り当て設定とその説明パネル画像の生成を行う（ステップＳ５１０５）。本ＥＰＧ画面操作においては、操作キー１２０１＿ｓｅｌ（カーソルキー、決定キー）及びカラーキー１２０１＿ｃｌｒが使用されるので、これらのキーの割り当て設定を行う。
【００７４】
ここで、カーソルキーは、ＥＰＧ画面に表示された番組のフォーカスの移動を行い、決定キーによって、フォーカスされている番組に対する視聴予約、録画予約等のその後の操作へ移行する。一方、カラーキーは、赤色キー、黄色キーをＥＰＧ操作の前日、翌日表示に割り当てる。
【００７５】
その結果、第１の実施形態と同様に、図６に示すような画面が表示される。ＥＰＧ画像は、４チャネル分、時間帯は一例として４時間分の表示になっている。また、５分間以下の短時間番組は「色の帯」だけが表示されている。
【００７６】
次に、制御部１１９０は、ＥＰＧ一括表示選択操作パネルデータをデータＲＯＭ部１１６０１より読み出し、リモコン制御部１１４０１より送信する（ステップＳ５１０６）。これにより、リモコン装置１２１は、データ送受信部１２０５１で当該操作パネルデータを受信し、図１４に示すように、タッチパネル付き表示部１２０６１に表示する。この後、視聴者が、ドラマの番組の詳細を知りたい場合、タッチパネル付き表示部１２０６１上のドラマボタンに対応する部分を指等で押下する。
【００７７】
テレビ装置１１１では、リモコン制御部１１４０１でリモコン装置１２１からタッチパネル位置情報を受信したか否かを判断する（ステップＳ５１１１）。その結果、受信した場合（ＹＥＳ）は、制御部１１９０により、受信した位置情報に基づいて、例えば、押下されたリモコンのタッチパネル位置がドラマボタンであることを検知する（ステップＳ５１１２）。
【００７８】
そして、テレビ装置１１１では、表示されているＥＰＧデータのうち、ジャンルがドラマである番組のＥＰＧデータを検索し（ステップＳ５１１３）、番組名、副題、拡張形式部分の内容を現在表示されているＥＰＧ画面の時間とチャネルの対応した番組に、重ねて表示するようなドラマ番組一括表示画像を生成し、画像制御部１１２１を通して合成表示する（ステップＳ５１１４）。
【００７９】
その結果、図１５に示すように、ドラマ番組の内容が一括表示された合成ＥＰＧ画面が表示される。この際、当該合成画面は、内容一括ＥＰＧ表示を、通常ＥＰＧ表示上に上書きした状態になっており、フォーカスの位置に関係なく、一番上に表示し見えるようにする。尚、他のジャンルの場合も同様にして行う。
【００８０】
この状態で、視聴者がリモコン装置１２１のカーソルキーを押下する。これをテレビ装置１１１は同様にして検知する（ステップＳ５１２１）。そして、それがＥＰＧ画面の表示範囲内であるか否かが判断され（ステップＳ５１２２）、表示範囲内であれば（ＹＥＳ）、第１の実施形態と同様にＥＰＧ内で番組のフォーカスを移動する（ステップＳ５１２３）。この場合、内容一括ＥＰＧ表示は、前述したように通常ＥＰＧ上に上書きした状態になっていて、フォーカスの位置によっては、カーソルを移動させても内容が全く表示されないことになる。
【００８１】
そこで、内容一括ＥＰＧ表示が通常ＥＰＧ表示に上書きされているか否かを判定し（ステップＳ５１２５）、重なっている場合（ＹＥＳ）は、フォーカスされた番組を一番上に表示して見えるようにする（ステップＳ５１２６）。また、内容一括ＥＰＧ表示番組にフォーカスが移動した際は、他の番組の上に重ねて表示する。一方、重なっていない場合（ＮＯ）は、次の処理へ移行する（ステップＳ５１２８）。尚、図１６に示すように、本実施形態におけるカーソルキーの押下と、ＥＰＧ画面上のフォーカスの移動との関係は、第１の実施形態の場合と同様である。
【００８２】
また、ステップＳ５１０２でＥＰＧキーでないと判断された場合、ステップＳ５１１１で操作パネル位置情報ではないと判断された場合、ステップＳ５１２１でカーソルキーでないと判断された場合及びカーソルキーであっても現在のＥＰＧ表示範囲外の表示要求である場合は、それぞれその他の処理を行う（ステップＳ５１３１）。
【００８３】
上述したようにすることで、リモコン装置１２１に表示された項目に対応する番組の内容が一括表示される。すなわち、５分番組ボタンを押下すれば、第１の実施形態と同様に５分間番組の内容を一括表示することができる。
【００８４】
＜その他の実施形態＞
第１の実施形態では、リモコン装置１２のカラーボタンに５分間番組一括表示を割り当てたが、これは、図１８に示すようにリモコン装置に専用ボタン１２０１＿５ａｌを設ける方法でも可能である。すなわち、図１８は、５分間番組一括表示専用ボタン１２０１＿５ａｌを備えたリモコン装置の外形図である。
【００８５】
また、第２の実施形態では、番組詳細の一括表示を行う分類を、短時間番組、ジャンル、時間帯としたが、これ以外に、例えば、何かのキーワードを入力し、そのキーワードがＥＰＧデータに含まれた場合に、その番組を一括して表示するというような方法も考えられる。すなわち、本実施形態に係るテレビ装置（番組情報表示制御装置）は、前述した実施形態の構成に加えて、詳細な表示をする番組を検索するためのキーワードを取得する手段をさらに備えてもよい。そして、取得されたキーワードを詳細な番組情報に含む番組を詳細に表示するようにしてもよい。
【００８６】
さらに、第２の実施形態では、リモコン装置１２１のタッチパネル付表示部１２０６１に操作ボタンを表示したが、これは、図１９に示すようにテレビ画面上に操作パネルを設け、それをリモコン装置で操作するような方法でも可能である。すなわち、図１９は、操作パネルを設けたテレビ装置の画面表示の一例を示す図である。
【００８７】
さらにまた、前述した２つの実施形態では、番組名一括表示後、５分詳細キーの再押下でもとのＥＰＧ表示に戻るようにしたが、５分詳細キーの再押下ではなく「戻る」キーの押下等であっても構わない。
【００８８】
さらにまた、５分間番組の表示のみを目的とするのであれば、５分詳細キー押下中のみ一括表示を行う方法や、キー押下後の一定時間表示を行うといった方法であってもよい。
【００８９】
さらにまた、前述した実施形態で使用したＥＰＧは、デジタル放送の放送波より生成したものを使用したが、これはインターネットのテレビガイドや、番組表サービス等により入手したデータを使用しても実現可能である。
【００９０】
以上説明した実施形態に係るテレビ装置及びリモコン装置を備えたＥＰＧ表示システムを用いることによって、視聴者は、従来のＥＰＧと比べて、特定番組一括表示時、その一括表示番組内でフォーカスを移動させることによって、選択したい番組をより早く選択することができる。
【００９１】
尚、本発明の目的は、前述した実施形態の機能を実現するソフトウェアのプログラムコードを記録した記録媒体（または記憶媒体）を、システムあるいは装置に供給し、そのシステムあるいは装置のコンピュータ（またはＣＰＵやＭＰＵ）が記録媒体に格納されたプログラムコードを読み出し実行することによっても、達成されることは言うまでもない。この場合、記録媒体から読み出されたプログラムコード自体が前述した実施形態の機能を実現することになり、そのプログラムコードを記録した記録媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００９２】
さらに、記録媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００９３】
本発明を上記記録媒体に適用する場合、その記録媒体には、先に説明したフローチャートに対応するプログラムコードが格納されることになる。
【００９４】
【発明の効果】
以上説明したように、本発明によれば、一度に表示される番組のチャネル数、時間帯等を従来のＥＰＧと同等にしたまま、時間やジャンル等の一定の規則に従った特定の番組に対して、当該番組の内容や詳細情報を一括して表示することができる。
【図面の簡単な説明】
【図１】本発明の第１の実施形態に係るＥＰＧ表示可能なテレビ装置を含むＥＰＧ表示システム全体を示す概要図である。
【図２】本発明の第１の実施形態に係るテレビ装置１１の細部構成を示すブロック図である。
【図３】本発明の第１の実施形態に係るリモコン装置１２の詳細な構成を示すブロック図である。
【図４】本発明の第１の実施形態に係るリモコン装置１２の外形図である。
【図５】同実施形態において受信されるデジタル放送波とＥＰＧデータの構成例を示す図である。
【図６】本発明の第１の実施形態におけるＥＰＧ画面の表示例を示す図である。
【図７】同実施形態に係るテレビ装置１１に表示される５分間番組名を一括表示したときの合成ＥＰＧ画面の一例を示す図である。
【図８】５分間番組名が一括表示された合成ＥＰＧ画面上におけるカーソルキー操作によるフォーカスの推移の一例を示す図である。
【図９】本発明の第１の実施形態に係るテレビ装置１１におけるＥＰＧの表示を実行する手順を説明するためのフローチャートである。
【図１０】本発明の第２の実施形態に係るテレビ装置１１１の細部構成を示すブロック図である。
【図１１】本発明の第２の実施形態に係るリモコン装置１２１の構成を示すブロック図である。
【図１２】同実施形態におけるリモコン装置１２１の外形図である。
【図１３】本発明の第２の実施形態に係るリモコン装置１２１のタッチパネルの細部構造を示す断面図である。
【図１４】同実施形態に係るリモコン装置１２１のタッチパネル付き表示部１２０６１にＥＰＧ詳細一括表示選択操作パネルが表示されたときの図である。
【図１５】ＥＰＧ詳細一括表示選択操作パネルから「ドラマ」ボタンが押下された際のテレビ装置１１１におけるＥＰＧ表示画面の一例を示す図である。
【図１６】「ドラマ」が一括表示された合成ＥＰＧ画面上におけるカーソルキー操作によるフォーカスの推移の一例を示す図である。
【図１７】本発明の第２の実施形態に係るテレビ装置１１１の詳細な動作を説明するためのフローチャートである。
【図１８】５分間番組一括表示専用ボタン１２０１＿５ａｌを備えたリモコン装置の外形図である。
【図１９】操作パネルを設けたテレビ装置の画面表示の一例を示す図である。
【図２０】テレビ画面に表示された短時間番組を含む従来のＥＰＧの一例を示す図である。
【符号の説明】
１１、１１１  テレビ装置
１２、１２１  リモコン装置
１３  ネットワーク
１４  電話回線
１１０１  アンテナ部
１１０２  チューナ部
１１０３  デコーダ部
１１２１  画像制御部
１１２２  表示部
１１２３  音声制御部
１１２４  音声出力部
１１３０  外部Ｉ／Ｆ部
１１４０、１１４０１  リモコン制御部
１１５０  メモリ部
１１６０、１１６０１  データＲＯＭ部
１１７０  モデム部
１１８０  内部バス
１１９０  制御部
１２０１  キーボタン部
１２０２  キーコード記憶部
１２０５、１２０５１  データ送受信部
１２０７  電池部
１２０８  時計部
１２１０  リモコン制御部
１２０６１  表示部
【図１】
2004194250.tif 000003
【図２】
2004194250.tif 000004
【図３】
2004194250.tif 000005
【図４】
2004194250.tif 000006
【図５】
2004194250.tif 000007
【図６】
2004194250.tif 000008
【図７】
2004194250.tif 000009
【図８】
2004194250.tif 000010
【図９】
2004194250.tif 000011
【図１０】
2004194250.tif 000012
【図１１】
2004194250.tif 000013
【図１２】
2004194250.tif 000014
【図１３】
2004194250.tif 000015
【図１４】
2004194250.tif 000016
【図１５】
2004194250.tif 000017
【図１６】
2004194250.tif 000018
【図１７】
2004194250.tif 000019
【図１８】
2004194250.tif 000020
【図１９】
2004194250.tif 000021
【図２０】
2004194250.tif 000022